(57)【要約】【課題】放送番組などの主情報に関連する情報であって、テレビジョン受像機などの主情報提示装置では受信できない関連情報を情報端末などの関連情報提供装置で提示させようとすると、主情報と関連情報を同期して提示することが困難である。【解決手段】本発明の関連情報提供システムは、主情報提示装置の操作信号を取得する操作信号取得手段と、操作信号に基づいて、主情報提示装置が提示している主情報を特定し、主情報識別信号として出力する主情報識別手段と、主情報に関連する関連情報を取得する関連情報取得手段と、関連情報を蓄積する関連情報蓄積手段と、関連情報の中から主情報識別信号と対応づけられた提示用関連情報を抽出する関連情報抽出手段と、提示用関連情報を提示する関連情報提示手段、とを有する。【選択図】      図１
2014068315.tif 000002
【特許請求の範囲】
【請求項１】
主情報提示装置の操作信号を取得する操作信号取得手段と、
前記操作信号に基づいて、前記主情報提示装置が提示している主情報を特定し、主情報識別信号として出力する主情報識別手段と、
前記主情報に関連する関連情報を取得する関連情報取得手段と、
前記関連情報を蓄積する関連情報蓄積手段と、
前記関連情報の中から前記主情報識別信号と対応づけられた提示用関連情報を抽出する関連情報抽出手段と、
前記提示用関連情報を提示する関連情報提示手段、
とを有する関連情報提供システム。
【請求項２】
関連情報提供装置と情報端末を有し、
前記関連情報提供装置は、
前記操作信号取得手段と、
前記主情報識別手段と、
前記関連情報取得手段と、
前記関連情報蓄積手段と、
前記関連情報抽出手段と、
前記提示用関連情報を前記情報端末に送信する提示用関連情報送信手段とを備え、
前記情報端末は、
前記提示用関連情報送信手段から送信される前記提示用関連情報を提示する前記関連情報提示手段を備える
請求項１に記載した関連情報提供システム。
【請求項３】
関連情報提供装置と情報端末を有し、
前記関連情報提供装置は、
前記操作信号取得手段と、
前記主情報識別手段と、
前記主情報識別信号を前記情報端末に送信する主情報識別信号送信手段と、
前記関連情報取得手段と、
前記関連情報取得手段が取得した前記関連情報を前記情報端末に送信する関連情報送信手段とを備え、
前記情報端末は、
前記主情報信号送信手段が送信した前記主情報識別信号を受信する主情報識別信号受信手段と、
前記関連情報送信手段が送信した前記関連情報を蓄積する前記関連情報蓄積手段と、
前記関連情報抽出手段と、前記関連情報提示手段とを備える
請求項１に記載した関連情報提供システム。
【請求項４】
関連情報提供装置と情報端末を備え、
前記関連情報提供装置は、
前記操作信号取得手段と、
前記主情報識別手段と、
前記関連情報取得手段と、
前記関連情報を前記情報端末に送信する関連情報送信手段と、
前記主情報識別信号と前記関連情報取得手段が取得した前記関連情報に基づいて番組情報を識別する番組情報識別手段と、
前記番組情報を前記情報端末に送信する番組情報送信手段とを備え、
前記情報端末は、
前記番組情報送信手段が送信した前記番組報識を受信する番組情報受信手段と、
前記関連情報送信手段が送信した前記関連情報を蓄積する前記関連情報蓄積手段と、
前記番組情報と前記関連情報蓄積手段に蓄積された前記関連情報とに基づいて前記提示用関連情報を抽出する前記関連情報抽出手段と、
前記関連情報提示手段を備える
請求項１に記載した関連情報提供システム。
【請求項５】
前記主情報表示装置は、テレビジョン受像機であり、
前記操作信号は、前記主情報表示装置の操作装置が出力する信号である
請求項１から４のいずれか一項に記載した関連情報提供システム。
【請求項６】
請求項１から５のいずれか一項に記載した関連情報提供システムに用いられる関連情報提供装置であって、少なくとも、
前記操作信号取得手段と、
前記主情報識別手段と、
前記関連情報取得手段と、
送信手段を備えた
関連情報提供装置。
【請求項７】
請求項１から５のいずれか一項に記載した関連情報提供システムに用いられる情報端末であって、少なくとも、
前記関連情報提示手段と、
受信手段を備えた
情報端末。
【請求項８】
主情報に関連する関連情報を取得し、
前記関連情報を蓄積し、
主情報の提示動作を制御する操作信号を取得し、
前記操作信号に基づいて提示されている主情報を特定し、
特定した結果を主情報識別信号として出力し、
前記関連情報の中から前記主情報識別信号と対応づけられた提示用関連情報を抽出し、
前記提示用関連情報を提示する
関連情報提供方法。
【請求項９】
さらに、
前記関連情報および前記主情報識別信号の少なくとも一方を送受信する
請求項８に記載した関連情報提供方法。
【請求項１０】
コンピュータに、
主情報に関連する関連情報を取得する手順と、
前記関連情報を蓄積する手順と、
主情報の提示動作を制御する操作信号を取得する手順と、
前記操作信号に基づいて提示されている主情報を特定する手順と、
その結果を主情報識別信号として出力する手順と、
前記関連情報の中から前記主情報識別信号と対応づけられた提示用関連情報を抽出する手順と、
前記提示用関連情報を提示する手順
とを実行させるための関連情報提供プログラム。
【発明の詳細な説明】
【技術分野】
【０００１】
本発明は、関連情報提供装置、関連情報提供システム、関連情報提供方法および関連情報提供プログラムに関し、特に、主情報と関連する情報を主情報と同期して提示する関連情報提供装置、関連情報提供システム、関連情報提供方法および関連情報提供プログラムに関する。
【背景技術】
【０００２】
近年、テレビで放送番組を視聴しながら、パソコンや携帯情報端末（Ｐｅｒｓｏｎａｌ  Ｄｉｇｉｔａｌ  Ａｓｓｉｓｔａｎｔ：ＰＤＡ）などの情報端末で視聴している放送番組に関連するコンテンツを楽しむことができるマルチスクリーンと言われるサービスが提案されている。情報端末用のコンテンツの送信には、例えば、放送波にＩＰ（Ｉｎｔｅｒｎｅｔ  Ｐｒｏｔｏｃｏｌ）データを乗せて一斉同報的なデータ配信を行う「ＩＰＤＣ（ＩＰ  Ｄａｔａ  Ｃａｓｔ）」を使用する方法がある。
【０００３】
このようなマルチスクリーンを実現するための技術の一例が、特許文献１および特許文献２に記載されている。
【０００４】
特許文献１に記載のテレビジョンシステムは、テレビジョン受像機と携帯端末とが所定の第１通信ネットワークを介して接続されている。テレビジョン受像機は、少なくとも一のチャンネルに対応する番組コンテンツと番組情報とを含む放送信号を受信するチューナと、放送信号に基づいて、視聴用に選択された一の番組コンテンツを表示する表示部と、放送信号に含まれる番組情報のうち、表示部に表示されている番組コンテンツの番組関連情報を所定の第１通信ネットワークを介して携帯端末に送信する通信制御部とを備える。携帯端末は、テレビジョン受像機から送信された番組関連情報を受信する第１通信制御部と、当該番組関連情報を表示する表示部とを備える。
【０００５】
特許文献２に記載の情報提供システムは、放送受信出力装置と、情報通信端末と無線通信することにより情報通信端末と通信ネットワークとの通信を中継する通信中継装置と、放送受信出力装置から出力されている視聴中の放送のチャネル情報を取得するチャネル情報取得手段とを備える。通信中継装置は、チャネル情報取得手段で取得されたチャネル情報に基づいて、視聴中の放送内容に関連した放送関連情報及び放送関連情報を取得可能なリンク情報の少なくとも一方を含むコンテンツを生成するコンテンツ生成手段と、コンテンツ生成手段で生成されたコンテンツを情報通信端末に送信する送信手段とを有する。利用者が選択した放送番組のチャネル番号がチャンネル情報として放送受信出力装置から通信中継装置に送信される構成が記載されている。もしくは、チャネル情報は放送受信出力装置から出力される音声を収音して取得し、この音声を分析することによりチャネル情報を取得する構成が記載されている。
【先行技術文献】
【特許文献】
【０００６】
【特許文献１】特開２０１１−２３４２６１号公報
【特許文献２】特開２０１０−１３６１３８号公報
【発明の概要】
【発明が解決しようとする課題】
【０００７】
特許文献１に記載されたテレビジョンシステムにおいては、テレビジョン受像機が受信した番組関連情報を、所定の第１通信ネットワークを介して携帯端末に送信する構成としている。そのため、従来のテレビジョン受像機で受信できない関連情報は、情報端末で取得できないという問題があった。
【０００８】
また、特許文献２のように放送受信出力装置で受信できない関連情報を、通信中継装置を介して取得する場合には、視聴している主情報と関連情報を同期して提示する必要がある。しかしながら、チャネル情報を放送受信出力装置から取得する構成では、このような機能を有しない放送受信出力装置では放送受信出力装置と情報通信端末間のチャネル情報の同期ができないという問題があった。また、チャネル情報の取得に放送受信出力装置から出力される音声を用いる構成では、視聴する放送番組がスタートした後に、チャネル番号もしくは放送番組を特定できる放送番組の音声を認識するまで、放送受信出力装置と情報通信端末間のチャネル情報の同期ができない。そのため、放送受信出力装置と情報通信端末間のチャネル情報の同期までに時間を要するという問題があった。
【０００９】
本発明の目的は、上述した課題である放送番組などの主情報に関連する情報であって、テレビジョン受像機などの主情報提示装置では受信できない関連情報を情報端末などの関連情報提供装置で提示させようとすると、主情報と関連情報を同期して提示することが困難である、という課題を解決する関連情報提供装置、関連情報提供システム、関連情報提供方法および関連情報提供プログラムを提供することにある。
【課題を解決するための手段】
【００１０】
本発明の関連情報提供システムは、主情報提示装置の操作信号を取得する操作信号取得手段と、操作信号に基づいて、主情報提示装置が提示している主情報を特定し、主情報識別信号として出力する主情報識別手段と、主情報に関連する関連情報を取得する関連情報取得手段と、関連情報を蓄積する関連情報蓄積手段と、関連情報の中から主情報識別信号と対応づけられた提示用関連情報を抽出する関連情報抽出手段と、提示用関連情報を提示する関連情報提示手段、とを有する。
【００１１】
また、本発明の関連情報提供方法は、主情報に関連する関連情報を取得し、関連情報を蓄積し、主情報の提示動作を制御する操作信号を取得し、操作信号に基づいて提示されている主情報を特定し、その結果を主情報識別信号として出力し、関連情報の中から主情報識別信号と対応づけられた提示用関連情報を抽出し、提示用関連情報を提示する。
【００１２】
また、本発明の関連情報提供プログラムは、コンピュータに、主情報に関連する関連情報を取得する手順と、関連情報を蓄積する手順と、主情報の提示動作を制御する操作信号を取得する手順と、操作信号に基づいて提示されている主情報を特定する手順と、その結果を主情報識別信号として出力する手順と、記関連情報の中から主情報識別信号と対応づけられた提示用関連情報を抽出する手順と、提示用関連情報を提示する手順とを実行させる。
【発明の効果】
【００１３】
本発明の関連情報提供装置、関連情報提供システム、関連情報提供方法および関連情報提供プログラムによれば、主情報に関連する情報であって、主情報提示装置では受信できない関連情報を関連情報提供装置で提示させる場合であっても、主情報と関連情報を同期して提示することができる関連情報提供装置、関連情報提供システムおよび関連情報提供方法を得ることができる。
【図面の簡単な説明】
【００１４】
【図１】本発明の第１の実施形態に係る関連情報提供システムの構成を示すブロック図である。
【図２】本発明の第１の実施形態に係る関連情報提供システムの動作を説明するためのシーケンス図である。
【図３】本発明の第２の実施形態に係る関連情報提供システムの構成を示す模式図である。
【図４】本発明の第２の実施形態に係る関連情報提供システムの構成を示すブロック図である。
【図５】本発明の第２の実施形態に係る関連情報提供システムの動作を説明するためのシーケンス図である。
【図６】本発明の第３の実施形態に係る関連情報提供システムの構成を示すブロック図である。
【図７】本発明の第３の実施形態に係る関連情報提供システムの動作を説明するためのシーケンス図である。
【図８】本発明の第４の実施形態に係る関連情報提供システムの構成を示すブロック図である。
【図９】本発明の第４の実施形態に係る関連情報提供システムの動作を説明するためのシーケンス図である。
【発明を実施するための形態】
【００１５】
以下に、図面を参照しながら、本発明の実施形態について説明する。
（第１の実施形態）
図１は、本発明の第１の実施形態に係る関連情報提供システム１００の構成を示すブロック図である。本実施形態の関連情報提供システム１００は、操作信号取得手段１０１と、主情報識別手段１０２と、関連情報取得手段１０３と、関連情報蓄積手段１０４と、関連情報抽出手段１０５と、関連情報提示手段１０６、を有する。関連情報提供システム１００は、主情報を提示する主情報提示装置１とその操作装置２と共に使用される。
【００１６】
主情報提示装置１は、テレビジョン受像機などの放送番組を視聴するための装置である。また、主情報とは、放送番組など主情報提示装置１が提示することを主目的としている情報である。
【００１７】
操作装置２は、リモコン装置などの主情報提示装置１を遠隔操作する装置である。また、関連情報提供システム１００は、操作装置２から出力されたチャンネルなどの操作信号を受信する。
【００１８】
操作信号取得手段１０１は、主情報提示装置１の操作信号を操作装置２から取得し、主情報識別手段１０２に出力する。
【００１９】
主情報識別手段１０２は、取得した操作信号に基づいて、主情報提示装置１が提示している主情報を特定し、現在時刻において放送されている主情報を示す信号である主情報識別信号を関連情報抽出手段１０５に出力する。
【００２０】
関連情報取得手段１０３は、関連情報提供システム１００の外部から提供され、主情報に関連する関連情報を取得する。ここで、関連情報とは、放送番組が放送開始される前に放送や通信で提供される放送番組に関するコンテンツデータなどである。
【００２１】
関連情報蓄積手段１０４は、関連情報取得手段１０３が取得した関連情報を蓄積する。
【００２２】
関連情報抽出手段１０５は、関連情報蓄積手段１０４に蓄積した関連情報の中から主情報識別信号と対応づけられた提示用関連情報を抽出する。
【００２３】
関連情報提示手段１０６は、関連情報抽出手段１０５で抽出された提示用関連情報を提示する。
【００２４】
次に、本実施形態に係る関連情報提供システム１００の動作について、図２を用いて説明する。図２は、本発明の第１の実施形態に係る関連情報提供システム１００の動作を説明するためのシーケンス図である。
【００２５】
関連情報提供システム１００は一連の動作に入る前に、あらかじめチャンネルと放送番組などの操作信号と主情報の関係を取得し、主情報識別手段１０２に保存する（ステップＳ０）。操作信号と主情報の関連付けは、例えば次のように行う。主情報提示装置１としてのテレビジョン受像機と主情報識別手段１０２をＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）接続し、ＨＤＭＡ−ＣＥＣ（ＨＤＭＩ−Ｃｏｎｓｕｍｅｒ  Ｅｌｅｃｔｒｏｎｉｃｓ  Ｃｏｎｔｒｏｌ）機能を用いてチャンネルと対応する放送番組を取得する。また、操作装置２であるリモコンを使用し、手動により放送番組とチャンネルを関連付けることとしてもよい。
【００２６】
関連情報提供システム１００が一連の動作状態に入ると、まず、関連情報取得手段１０３が、主情報に関連する関連情報を関連情報提供システム１００の外部から取得する（ステップＳ１）。
【００２７】
続いて、関連情報蓄積手段１０４が、関連情報取得手段１０３が取得した関連情報を蓄積する（ステップＳ２）。
【００２８】
ここで、主情報提示装置１に主情報を表示させるために、操作装置２が操作信号を出力する（ステップＳ３）。
【００２９】
主情報提示装置１は、この操作信号を受信すると、操作信号に対応した主情報を提示する（ステップＳ４）。
【００３０】
このとき、関連情報提供システム１００では、操作信号取得手段１０１が主情報提示装置１と同時に朱情報の提示動作を制御する操作信号を取得する（ステップＳ５）。
【００３１】
続いて関連情報提供システム１００では、主情報識別手段１０２が操作信号に基づいて、主情報提示装置１が提示している主情報を特定し、特定した主情報を識別するための信号である主情報識別信号を出力する（ステップＳ６）。関連情報には、放送番組に関するコンテンツデータであるチャンネルの情報や放送局、放送時間などの構造化データと言われる情報データが含まれている。そのため、主情報識別手段１０２は、操作信号と内部クロックと構造化データを照合することにより、操作信号に基づく主情報を識別するための主情報識別信号を出力することができる。
【００３２】
次に、関連情報抽出手段１０５は、主情報識別装置１０２から出力された主情報識別信号に基づいて関連情報の中から主情報識別信号と対応づけられた提示用関連情報を抽出する（ステップＳ７）。
【００３３】
そして、関連情報提示手段１０６が、関連情報抽出手段１０５が抽出した提示用関連情報を提示する（ステップＳ８）。
【００３４】
以上により、その時刻に視聴している放送番組に関連するコンテンツデータなとの関連情報を利用することができる。
【００３５】
なお、放送番組が終了したら、終了した放送番組に関連する関連情報は消去することとしてもよい。
【００３６】
また、上記の関連情報提供システムの動作は、データ蓄積や画像や音声へのデータ変換処理であるため、コンピュータに実行させることが可能である。すなわち、コンピュータに、主情報に関連する関連情報を取得する手順と、関連情報を蓄積する手順と、主情報の提示動作を制御する操作信号を取得する手順と、操作信号に基づいて提示されている主情報を特定する手順と、その結果を主情報識別信号として出力する手順と、記関連情報の中から主情報識別信号と対応づけられた提示用関連情報を抽出する手順と、提示用関連情報を提示する手順とを実行させることができる。
【００３７】
本実施形態の関連情報提供システム、関連情報提供方法および関連情報提供プログラムでは、操作信号を主情報提示装置１と同時に受信し、この操作信号に基づいて関連情報を抽出し、提示する構成としている。そのため、主情報に関連する情報であって、主情報提示装置では受信できない関連情報であっても、主情報と関連情報を同期して提示することができる
また、リモコンなどの操作装置によって操作信号を主情報提示装置と関連情報提供システムに同時に送信できるため、主情報と関連情報の同期動作をすばやく行うことができる。
（第２の実施形態）
図３は、本発明の第２の実施形態に係る関連情報提供システム２００の構成を示す模式図である。関連情報提供システム２００は関連情報提供装置２１０と情報端末２２０を備えており、関連情報提供システム２００は主情報提示装置１とその操作装置２と共に使用される。
【００３８】
図４は、本発明の第２の実施形態に係る関連情報提供システム２００の構成を示すブロック図である。
【００３９】
関連情報提供システム２００の関連情報提供装置２１０は、操作信号取得手段２１１と、主情報識別手段２１２と、関連情報取得手段２１３と、関連情報蓄積手段２１４と、関連情報抽出手段２１５と、提示用関連情報送信手段２１７とを有する。
【００４０】
情報端末２２０は、提示用関連情報を提示する関連情報提示手段２２６を有する。
【００４１】
第１の実施形態とは、関連情報提供システム２００が関連情報提供装置２１０と情報端末２２０を備え、関連情報提供装置２１０が提示用関連情報送信手段２１７を有する点が異なる。なお、第１の実施形態と同様の構成については、その説明を省略する。
【００４２】
関連情報提供装置２１０における操作信号取得手段２１１と、主情報識別手段２１２と、関連情報取得手段２１３と、関連情報蓄積手段２１４と、関連情報抽出手段２１５は、第１の実施形態と同じ構成である。
【００４３】
提示用関連情報送信手段２１７は、関連情報抽出手段２１５が抽出した提示用関連情報を情報端末２２０に送信する。
【００４４】
一方、情報端末２２０の関連情報提示手段２２６は、関連情報提供装置２１０の提示用関連情報送信手段２１７から送信される提示用関連情報を提示する。
【００４５】
なお、関連情報提供装置２１０から情報端末２２０への提示用関連情報の送信には、例えば、有線ＬＡＮ（Ｌｏｃａｌ  Ａｒｅａ  Ｎｅｔｗｏｒｋ）や無線ＬＡＮなどを用いることができる。
【００４６】
次に、本実施形態に係る関連情報提供システムの動作について、図５を用いて説明する。図５は、本発明の第２の実施形態に係る関連情報提供システム２００の動作を説明するためのシーケンス図である。
【００４７】
関連情報提供システム２００は一連の動作に入る前に、あらかじめチャンネルと放送番組などの操作信号と主情報の関係を取得し、主情報識別手段２１２に保存する（ステップＳ１０）。
【００４８】
関連情報提供システム２００が一連の動作状態に入ると、まず、関連情報提供装置２１０が備える関連情報取得手段２１３は、主情報に関連する関連情報を取得する（ステップＳ１１）。
【００４９】
続いて、関連情報蓄積手段２１４が、関連情報取得手段２１３が取得した関連情報を蓄積する（ステップＳ１２）。
【００５０】
ここで、操作装置２が操作信号を出力すると（ステップＳ１３）、主情報提示装置１がこの操作信号を受信し、操作信号に対応した主情報を提示する（ステップＳ１４）。
【００５１】
一方、関連情報提供装置２１０では、操作信号取得手段２１１が主情報提示装置１と同時に操作信号を取得する（ステップＳ１５）。
【００５２】
続いて、主情報識別手段２１２は、操作信号取得手段２１１が取得した操作信号に基づいて、主情報提示装置１が提示している主情報を特定し、主情報識別信号として出力する（ステップＳ１６）。
【００５３】
次に、関連情報抽出手段２１５は、関連情報蓄積手段２１４が蓄積している関連情報の中から主情報識別信号と対応づけられた提示用関連情報を抽出する（ステップＳ１７）。
【００５４】
続いて、提示用関連情報送信手段２１７は、関連情報抽出手段２１５が抽出した提示用関連情報を情報端末２２０に送信する（ステップＳ１８）。
【００５５】
そして、情報端末２２０では、関連情報提示手段２２６が受信した提示用関連情報を提示する（ステップＳ１９）。
【００５６】
以上により、視聴している放送番組に関連するコンテンツデータなどの関連情報を情報端末で同時刻に利用することができる。
【００５７】
なお、放送番組の放送が終了したら、終了した放送番組に関連する関連情報は消去してもよい。
【００５８】
また、上記の関連情報提供装置の動作は、データ蓄積や画像や音声へのデータ変換処理であるため、コンピュータに実行させることが可能である。
【００５９】
本実施形態の関連情報提供装置、関連情報提供システム、関連情報提供方法および関連情報提供プログラムでは、操作信号を主情報提示装置１と同時に受信し、この操作信号に基づいて関連情報を抽出し、提示する構成としている。そのため、主情報に関連する情報であって、主情報提示装置では受信できない関連情報であっても、主情報と関連情報を同期して提示することができる
また、リモコンなどの操作装置によって操作信号を主情報提示装置と関連情報提供システムに同時に送信できるため、主情報と関連情報を提示する際の同期動作をすばやく行うことができる。
【００６０】
さらに、関連情報提供システムを関連情報提供装置と情報端末を備えた構成とすることにより、従来のテレビジョン受像機を使用する場合であっても携帯電話やパソコンなどの情報端末で関連情報を利用することができる。
（第３の実施形態）
図６は、本発明の第３の実施形態に係る関連情報提供システム３００の構成を示すブロック図である。関連情報提供システム３００は関連情報提供装置３１０と情報端末３２０を備える。関連情報提供システム３００は、主情報提示装置１とその操作装置２と共に使用する。
【００６１】
関連情報提供装置３１０は、操作信号取得手段３１１と、主情報識別手段３１２と、関連情報取得手段３１３と、関連情報送信手段３１７と、主情報識別信号送信手段３１８を有する。
【００６２】
一方、情報端末３２０は、主情報識別信号受信手段３２９と、関連情報蓄積手段３２４と、関連情報抽出手段３２５と、関連情報提示手段３２６を有する。
【００６３】
第２の実施形態とは、関連情報提供装置３１０が主情報識別信号送信手段３１８を有し、情報端末３２０が主情報識別信号受信手段３２９と、関連情報蓄積手段３２４と、関連情報抽出手段３２５を有する点が異なる。なお、第２の実施形態と同様の構成については、その説明を省略する。
【００６４】
関連情報提供装置３１０における操作信号取得手段３１１と、主情報識別手段３１２と、関連情報取得手段３１３は、第２の実施形態と同じ構成である。
【００６５】
関連情報送信手段３１７は、関連情報取得手段３１３が取得した関連情報を情報端末３２０に送信する。
【００６６】
主情報識別信号送信手段３１８は、主情報識別手段３１２が操作信号に基づいて生成した主情報識別信号を情報端末３２０に送信する。
【００６７】
情報端末３２０における主情報識別信号受信手段３２９は、主情報識別信号を関連情報提供装置３１０が備える主情報識別信号送信手段３１８から受信する。
【００６８】
関連情報蓄積手段３２４は、関連情報送信手段３１７から送信される関連情報を取得し、蓄積する。
【００６９】
関連情報抽出手段３２５は、関連情報蓄積手段３２４が蓄積している関連情報の中から主情報識別信号と対応づけられた提示用関連情報を抽出する。
【００７０】
関連情報提示手段３２６は、関連情報抽出手段３２５が抽出した提示用関連情報を提示する。
【００７１】
次に、本実施形態に係る関連情報提供システムの動作について、図７を用いて説明する。図７は、本発明の第３の実施形態に係る関連情報提供システム３００の動作を説明するためのシーケンス図である。
【００７２】
関連情報提供システム３００は一連の動作に入る前に、チャンネルと放送番組などの操作信号と主情報の関係を取得し、主情報識別手段３１２に保存する（ステップＳ２０）。
【００７３】
関連情報提供システム３００が一連の動作状態に入ると、まず、関連情報取得手段３１３は、主情報に関連する関連情報を関連情報提供システム３００の外部から取得する（ステップＳ２１）。
【００７４】
続いて、関連情報送信手段３１７は、関連情報取得手段３１３が取得した関連情報を情報端末２に送信する（ステップＳ２２）。
【００７５】
このとき、情報端末３２０の関連情報蓄積手段３２４は、関連情報送信手段３１７から送信される関連情報を蓄積する（ステップＳ２３）。
【００７６】
ここで、操作装置２が操作信号を出力すると（ステップＳ２４）、主情報提示装置１がこの操作信号を受信し、操作信号に応じた主情報を提示する（ステップＳ２５）。
【００７７】
一方、関連情報提供装置３１０では、操作信号取得手段３１１が主情報提示装置１と同時に操作装置２が出力した操作信号を取得する（ステップＳ２６）。
【００７８】
続いて、主情報識別手段３１２は、取得した操作信号に基づいて主情報提示装置１が提示している主情報を特定し、主情報識別信号として主情報識別信号送信手段３１８に出力する（ステップＳ２７）。
【００７９】
続いて、主情報識別信号送信手段３１８は、主情報識別信号を情報端末２に送信する（ステップＳ２８）。
【００８０】
このとき、情報端末３２０の主情報識別信号受信手段３２９は、主情報識別信号送信手段３１８から送信される主情報識別信号を受信する（ステップＳ２９）。
【００８１】
続いて、情報端末３２０が備える関連情報抽出手段３２５は、関連情報蓄積手段３２４に蓄積された関連情報の中から主情報識別信号と対応づけられた提示用関連情報を抽出する（ステップＳ３０）。
【００８２】
そして、情報端末３２０では、関連情報提示手段３２６が、関連情報抽出手段３２５が抽出した提示用関連情報を提示する（ステップＳ３１）。
【００８３】
以上により、視聴している放送番組に関連するコンテンツデータなどの関連情報を情報端末で同時刻に利用することができる。
【００８４】
なお、放送番組の放送が終了したら、終了した放送番組に関連する関連情報は消去してもよい。
【００８５】
また、上記の関連情報提供装置の動作は、データ蓄積や画像や音声へのデータ変換処理であるため、コンピュータに実行させることが可能である。
【００８６】
本実施形態の関連情報提供装置、関連情報提供システム、関連情報提供方法および関連情報提供プログラムでは、操作信号を主情報提示装置１と同時に受信し、この操作信号に基づいて関連情報を抽出し、提示する構成としている。そのため、主情報に関連する情報であって、主情報提示装置では受信できない関連情報であっても、主情報と関連情報を同期して提示することができる
また、リモコンなどの操作装置によって操作信号を主情報提示装置と関連情報提供システムに同時に送信できるため、主情報と関連情報の同期動作をすばやく行うことができる。
【００８７】
さらに、関連情報提供システムを関連情報提供装置と情報端末を備えた構成とすることにより、従来のテレビジョン受像機を使用する場合であっても携帯電話やパソコンなどの情報端末で関連情報を利用することができる。
【００８８】
また、本実施形態では関連情報を情報端末に蓄積する構成としているので、情報端末の記憶手段を利用することができるため、関連情報提供装置の構成を簡略化することができる。
（第４の実施形態）
図８は、本発明の第４の実施形態に係る関連情報提供システム４００の構成を示すブロック図である。関連情報提供システム４００は関連情報提供装置４１０と情報端末４２０を備えており、関連情報提供システム４００は主情報提示装置１とその操作装置２と共に使用される。
【００８９】
関連情報提供装置４１０は、操作信号取得手段４１１と、主情報識別手段４１２と、関連情報取得手段４１３と、関連情報送信手段４１７と、番組情報識別手段４３０と、番組情報送信手段４３１を有する。
【００９０】
一方、情報端末２２０は、番組情報受信手段４３２と、関連情報蓄積手段４２４と、関連情報抽出手段と４２５、関連情報提示手段４２６を有する。
【００９１】
第３の実施形態とは、関連情報提供装置４１０が番組情報識別手段４３０と、番組情報送信手段４３１を有し、情報端末４２０が番組情報受信手段４３２を有する点が異なる。なお、第３の実施形態と同様の構成については、その説明を省略する。
【００９２】
関連情報提供装置４１０における操作信号取得手段４１１と、主情報識別手段４１２と、関連情報取得手段４１３と、関連情報送信手段４１７は、第３の実施形態と同じ構成である。
【００９３】
番組情報識別手段４３０は、主情報識別手段４１２が識別した主情報識別信号と関連情報取得手段４１３が取得した関連情報から、現在時刻において放送されている番組の番組情報を識別する。
【００９４】
番組情報送信手段４３１は、番組情報識別手段４３０が識別した番組情報を情報端末４２０に送信する。
【００９５】
番組情報受信手段４３２は、関連情報提供装置４１０が備える番組情報送信手段４３１から送信される番組情報を受信する。
【００９６】
また、情報端末４２０における関連情報蓄積手段４２４は、関連情報提供装置４１０が備える関連情報送信手段４２４から送信される関連情報を蓄積する。
【００９７】
関連情報抽出手段４２５は、関連情報蓄積手段４２４が蓄積している関連情報の中から番組情報と対応づけられた提示用関連情報を抽出する。
【００９８】
関連情報提示手段４２６は、関連情報抽出手段４２５が抽出した提示用関連情報を提示する。
【００９９】
次に、本実施形態に係る関連情報提供システムの動作について、図９を用いて説明する。図９は、本発明の第４の実施形態に係る関連情報提供システムの動作を説明するためのシーケンス図である。
【０１００】
関連情報提供システム４００は一連の動作に入る前に、チャンネルと放送番組などの操作信号と主情報の関係を取得し、主情報識別手段４１２に保存する（ステップＳ４０）。
【０１０１】
関連情報提供システム４００が一連の動作状態に入ると、まず、関連情報取得手段４１３が、主情報に関連する関連情報を取得する（ステップＳ４１）。
【０１０２】
続いて、関連情報送信手段４１７は、関連情報取得手段４１３が取得した関連情報を情報端末２が備える関連情報蓄積手段４２４に送信する（ステップＳ４２）。
【０１０３】
このとき、情報端末２の関連情報蓄積手段４２４は、この関連情報を蓄積する（ステップＳ４３）。
【０１０４】
ここで、操作装置２が操作信号を出力すると（ステップＳ４４）、主情報提示装置１が操作信号を受信し、操作信号に応じた主情報を提示する（ステップＳ４５）。
【０１０５】
一方、関連情報提供装置４１０では、操作信号取得手段４１１が主情報提示装置１と同時に操作信号を取得する（ステップＳ４６）。
【０１０６】
主情報識別手段４１２はこの操作信号に基づいて、主情報提示装置１が提示している主情報を特定し、主情報識別信号として番組情報識別手段４３０に出力する（ステップＳ４７）。
【０１０７】
番組情報識別手段４３０は、主情報識別手段４１２が識別した主情報識別信号と関連情報取得手段４１３が取得した関連情報とを照合し、現在時刻で放送している放送番組を特定し番組情報として出力する（ステップＳ４８）。番組情報の特定は、関連情報抽出手段４２５と同様に構造化データを用いて行うことができる。
【０１０８】
番組情報送信手段４３１は、識別した番組情報を情報端末４２０が備える番組情報受信手段４３２に送信する（ステップＳ４９）。
【０１０９】
このとき、番組情報受信手段４３２は、番組情報送信手段４３１が送信する番組情報を受信する（ステップＳ５０）。
【０１１０】
次に、関連情報抽出手段４２５は、関連情報蓄積手段４２４に蓄積された関連情報の中から番組情報と対応づけられた提示用関連情報を抽出する（ステップＳ５１）。
【０１１１】
そして、情報端末４２０では、関連情報提示手段４２６がこの提示用関連情報を提示する（ステップＳ５２）。
【０１１２】
以上により、視聴している放送番組に関連するコンテンツデータなどの関連情報を情報端末で同時刻に利用することができる。
【０１１３】
なお、放送番組の放送が終了したら、終了した放送番組に関連する関連情報は消去してもよい。
【０１１４】
また、上記の関連情報提供装置の動作は、データ蓄積や画像や音声へのデータ変換処理であるため、コンピュータに実行させることが可能である。
【０１１５】
本実施形態の関連情報提供装置、関連情報提供システム、関連情報提供方法および関連情報提供プログラムでは、操作信号を主情報提示装置１と同時に受信し、この操作信号に基づいて関連情報を抽出し、提示する構成としている。そのため、主情報に関連する情報であって、主情報提示装置では受信できない関連情報であっても、主情報と関連情報を同期して提示することができる
また、リモコンなどの操作装置によって操作信号を主情報提示装置と関連情報提供システムに同時に送信できるため、主情報と関連情報の同期動作をすばやく行うことができる。
【０１１６】
さらに、関連情報提供システムを関連情報提供装置と情報端末を備えた構成とすることにより、従来のテレビジョン受像機を使用する場合であっても携帯電話やパソコンなどの情報端末で関連情報を利用することができる。
【０１１７】
また、本実施形態では関連情報を情報端末に蓄積する構成としているので、情報端末の記憶手段を利用することができるため、関連情報提供装置の構成を簡略化することができる。
【０１１８】
さらに、番組情報を用いて関連情報を抽出する構成としているので、関連情報抽出手段において番組情報を特定する処理が減り、関連情報抽出手段での処理を簡略化することができる。
【０１１９】
本発明は上記実施形態に限定されることなく、特許請求の範囲に記載した発明の範囲内で、種々の変形が可能であり、それらも本発明の範囲内に含まれるものであることはいうまでもない。
【符号の説明】
【０１２０】
１    主情報提示装置
２    操作装置
１００、２００、３００、４００    関連情報提供システム
１０１、２１１、３１１、４１１    操作信号取得手段
１０２、２１２、３１２、４１２    主情報識別手段
１０３、２１３、３１３、４１３    関連情報取得手段
１０４、２１４、３２４、４２４    関連情報蓄積手段
１０５、２１５、３２５、４２５    関連情報抽出手段
１０６、２２６、３２６、４２６    関連情報提示手段
２１０、３１０、４１０    関連情報提供装置
２１７    提示用関連情報送信手段
３１７、４１７    関連情報送信手段
２２０、３２０、４２０    情報端末
３１８    主情報識別信号送信手段
３２９    主情報識別信号受信手段
４３０    番組情報識別手段
４３１    番組情報送信手段
４３２    番組情報受信手段
【図１】
2014068315.tif 000003
【図２】
2014068315.tif 000004
【図３】
2014068315.tif 000005
【図４】
2014068315.tif 000006
【図５】
2014068315.tif 000007
【図６】
2014068315.tif 000008
【図７】
2014068315.tif 000009
【図８】
2014068315.tif 000010
【図９】
2014068315.tif 000011